(57)【要約】      （修正有）【課題】クセを付けることなく、折り曲げて運搬又は陳列させることができるマットを提供する。【解決手段】マットは、一列に並んだ複数のシート２と、シートよりも薄く、隣り合う二つのシートを連結する折り曲げ可能な連結部３とを備える。好ましくは、マットは、シートの内部に発泡樹脂材が設けられ、連結部は溶着されている。更に好ましくは、マットは、シートの一面に撥水部が形成され、シートの他面に滑り止め部が形成されている。【選択図】図２
0003226355.tif 000002
【実用新案登録請求の範囲】
【請求項１】
一列に並んだ複数のシートと、
該シートよりも薄く、隣り合う二つの前記シートを連結する折り曲げ可能な連結部と
を備えるマット。
【請求項２】
前記シートの内部に発泡樹脂材が設けられており、
前記連結部は溶着されている
請求項１に記載のマット。
【請求項３】
前記シートの一面に撥水部が形成され、
前記シートの他面に滑り止め部が形成されている
請求項１又は２に記載のマット。
【請求項４】
台所の床に使用されるキッチンマット又はトイレの床に使用されるトイレマットである
請求項１から３のいずれか一つに記載のマット。
【考案の詳細な説明】
【技術分野】
【０００１】
本考案は、床に敷くマットに関する。
【背景技術】
【０００２】
従来、床に敷くマット、例えばキッチンマット又はトイレマットが使用されている。マットは設備に沿って、床に敷設される。マットは飛散する汚れ、例えば油滴、水滴、尿滴等から床面を保護する（例えば特許文献１参照）。
【先行技術文献】
【特許文献】
【０００３】
【特許文献１】実用新案登録第３１９１２０５号公報
【考案の概要】
【考案が解決しようとする課題】
【０００４】
マットは一方向に延び、運搬又は陳列の際には、丸めて筒状にされる。使用時に、筒状のマットは展開される。しかし、筒状にしたことにより、マットは円弧状に変形し、クセが付く。展開されたマットの端は丸くなり、床面から離れる。
【０００５】
本開示は、斯かる事情に鑑みてなされたものであり、クセを付けることなく、運搬又は陳列させることができるマットを提供することを目的とする。
【課題を解決するための手段】
【０００６】
本開示の一実施形態に係るマットは、一列に並んだ複数のシートと、該シートよりも薄く、隣り合う二つの前記シートを連結する折り曲げ可能な連結部とを備える。
【０００７】
本開示の一実施形態に係るマットにおいては、運搬又は陳列時には、連結部を折り曲げて、複数のシートを折り畳む。そのため、複数のシートを筒状に丸める必要はない。
【０００８】
本開示の一実施形態に係るマットは、前記シートの内部に発泡樹脂材が設けられており、前記連結部は溶着されている。
【０００９】
本開示の一実施形態に係るマットにおいては、連結部は溶着されているので、連結部を切断しても、発泡樹脂材は外部に排出されない。ユーザは必要に応じて、連結部を切断し、マットを所望の大きさにすることができる。
【００１０】
本開示の一実施形態に係るマットは、前記シートの一面に撥水部が形成され、前記シートの他面に滑り止め部が形成されている。
【００１１】
本開示の一実施形態に係るマットにおいては、撥水部を上側に向け、滑り止め部を下側に向けて、マットを床面に敷くことによって、撥水部に付着した液体は容易に拭き取られ、マットは床面に固定される。
【００１２】
本開示の一実施形態に係るマットは、台所の床に使用されるキッチンマット又はトイレの床に使用されるトイレマットである。
【００１３】
本開示の一実施形態に係るマットにおいては、キッチンマット又はトイレマットとして使用することができる。
【考案の効果】
【００１４】
本開示の一実施形態に係るマットにあっては、運搬又は陳列時には、連結部を折り曲げて、複数のシートを折り畳む。そのため、複数のシートを筒状に丸める必要はなく、マットにクセが付くことを防止することができる。
【図面の簡単な説明】
【００１５】
【図１】実施の形態１に係る展開したキッチンマットの略示平面図である。
【図２】展開したキッチンマットの略示側面図である。
【図３】シート及び連結部の略示部分拡大側面断面図である。
【図４】折り畳んだキッチンマットの略示側面図である。
【図５】一部を折り返したキッチンマットの略示側面図である。
【図６】実施の形態２に係る展開したトイレマットの第一例を示す平面図である。
【図７】折り畳んだトイレマットの第一例を示す平面図である。
【図８】展開したトイレマットの第二例を示す平面図である。
【図９】折り畳んだトイレマットの第一例を示す平面図である。
【図１０】展開したトイレマットの第三例を示す平面図である。
【図１１】折り畳んだトイレマットの第三例を示す平面図である。
【考案を実施するための形態】
【００１６】
（実施の形態１）
以下本考案を、実施の形態１に係るキッチンマット１を示す図面に基づいて説明する。なお、機能を限定しないマット、例えばフリーマット又は多目的マットとして販売されているマットであっても、台所の床に使用されるものは、キッチンマット１に含まれ得る。図１は、展開したキッチンマット１の略示平面図、図２は、展開したキッチンマット１の略示側面図である。図１及び図２に示すように、キッチンマット１は複数のシート２を備える。シート２は平面視矩形状をなし、互いの一辺を平行に対向させるようにして、複数のシート２は前記一辺に直角な方向に並んでいる。
【００１７】
隣り合う二つのシート２の間に連結部３が設けられている。連結部３はシート２よりも薄い帯状をなし、二つのシート２の対向する一辺同士を連結する。連結部３は折り曲げ可能に構成されている。連結部３は、前記一辺全体に亘って形成されている。なお、前記一辺の一部にのみ連結部３を形成してもよく、また前記一辺の複数部分に、複数の連結部３を断続的に形成してもよい。シート２の並び方向（キッチンマット１の長手方向）において、例えば、シート２の寸法は３０ｃｍであり、連結部３の寸法は４ｍｍである。並び方向におけるシート２の寸法は３０ｃｍに限定されず、必要に応じて、１５ｃｍ、６０ｃｍ又は９０ｃｍなど他の寸法に変更され得る。また連結部３の寸法も４ｍｍに限定されず、シート２の厚みに応じて、５ｍｍ又は６ｍｍなど他の寸法に変更され得る。また並び方向に直交する方向において、シート２の寸法は、４０〜６０ｃｍであるが、並び方向に直交する方向において、シート２の寸法は、これに限定されない。
【００１８】
図３は、シート２及び連結部３の略示部分拡大側面断面図である。図３に示すように、シート２は、発泡ポリ塩化ビニル材によって構成されており、クッション２０と、表カバー２１と、裏カバー２２とを備える。クッション２０、表カバー２１及び裏カバー２２は一体的に形成されている。クッション２０は平面視矩形状をなし、クッション２０の一面は表カバー２１を構成し、クッション２０の他面は裏カバー２２を構成する。表カバー２１には撥水加工が施されている。発泡ポリ塩化ビニルは滑り止め機能を有し、したがって、裏カバー２２は滑り止め機能を有する。使用時には、表カバー２１を上側に向け、裏カバー２２を床面に向ける。
【００１９】
シート２の周縁部には、高周波溶着による加工が施されている。二つのシート２の隣接部分にも高周波溶着による加工が施されており、この隣接部分は連結部３を構成する。連結部３において、表カバー２１及び裏カバー２２が溶着されている。連結部３の内部には、クッション２０はほとんどなく、故に連結部３は、シート２のクッション２０が設けられた部分よりも薄い。
【００２０】
キッチンマット１は、例えば以下のようにして製造される。まず発泡ポリ塩化ビニル材の原反を準備し、該原反をキッチンマット１の寸法にて切断する。そして、キッチンマット１の一面にプリントを施す。そして、キッチンマット１の周縁部及び所定箇所（連結部３が設けられるべき箇所）を治具によって挟み、高周波溶着を施す。これにより、前記周縁部及び所定箇所は、他の部分よりも薄くなる。キッチンマット１のプリントを施した一面は表カバー２１を構成し、他面は裏カバー２２を構成する。キッチンマット１の内部はクッション２０を構成する。前記所定箇所は連結部３を構成する。なお表カバー２１にプリントを施さなくてもよい。
【００２１】
なお、クッション２０を発泡ポリウレタン材によって構成し、ポリ塩化ビニル材によって構成された表カバー２１及び裏カバー２２の間に、クッション２０を挟んでもよい。この場合においても、キッチンマット１の周縁部及び連結部３が設けられるべき箇所には、高周波溶着が施される。
【００２２】
図４は、折り畳んだキッチンマット１の略示側面図である。図４に示すように、キッチンマット１は、連結部３を折り曲げて、上下に重ねることができる。例えば、運搬時又は商品棚への陳列時に、折り畳んだ状態のキッチンマット１を運搬車の貨物室又は商品棚に隙間無く、平置き又は縦置きに並べることができる。即ち、デッドスペースを無くし、運搬効率及び陳列効率を向上させることができる。
【００２３】
また収納室、例えば押し入れに収納する場合に、折り畳んだ状態でキッチンマット１を押し入れに容易に収納させることができる。従来のキッチンマットは円筒状に丸めた後、バンドによって縛る必要があったが、実施の形態１に係るキッチンマット１は、縛る必要はない。特にキッチンマット１を複数準備し、収納室に収納したキッチンマット１と、使用したキッチンマット１とを交換する場合に、その高い利便性を発揮することができる。
【００２４】
またキッチンマット１を折り畳んでもクセは付かず、展開時にキッチンマット１が床から離れることを防止できる。また折り畳んでも皺が発生せず、キッチンマット１の品質を維持することができる。
【００２５】
また連結部３において、表カバー２１及び裏カバー２２は溶着されているので、連結部３を切断しても、クッション２０は排出されない。そのため、ユーザは連結部３を切断することによって、切断面の意匠性を悪化させることなく、キッチンマット１を所望の大きさにすることができる。
【００２６】
図５は、一部を折り返したキッチンマット１の略示側面図である。図５に示すように、キッチンマット１を敷いた床を掃除する場合、ユーザはキッチンマット１の一部、例えば端部のみを折り返すことができる。ユーザは所望のシート２のみを折り返し、掃除を行うことができる。掃除終了後には、折り返したシート２のみを元に戻せばよい。連結部３のない従来のキッチンマットは、掃除の際にキッチンマット全体を移動させる必要があり、ユーザの負担が大きかったが、実施の形態に係るキッチンマット１においては、掃除の際にユーザの負担を軽減させることができる。
【００２７】
表カバー２１には撥水加工が施されているので、表カバー２１に付着した液体又は汚れなどは、容易に拭き取られる。また裏カバー２２には滑り止め機能があるので、キッチンマット１を床面に固定させることができる。
【００２８】
（実施の形態２）
以下本考案を、実施の形態２に係るトイレマット１０を示す図面に基づいて説明する。なお、機能を限定しないマット、例えばフリーマット又は多目的マットとして販売されているマットであっても、トイレの床に使用されるものは、トイレマット１０に含まれ得る。トイレマット１０のシートは、形状を除けば、実施の形態１のシート２と構成は同じであり、その詳細な説明を省略する。以下の説明では、図面の前後左右に対応させて、前後左右を使用する。
【００２９】
図６は、展開したトイレマット１０の第一例を示す平面図である。トイレマット１０の左右方向中央部には、前後に延びる連結部３が形成されている。連結部３を境界にして、トイレマット１０は、左右の二つの領域、即ち右シート２２ｄ及び左シート２３に、分割されている。
【００３０】
右シート２２ｄは、前後に延びる右辺部２２ａと、後辺部２２ｂ及び前辺部２２ｃを備える。後辺部２２ｂは左右に延び、右辺部２２ａは前後に延びる。後辺部２２ｂの右端部は、右辺部２２ａの後端部に直角に連結する。前辺部２２ｃは平面視Ｓ状をなし、左右に延びる。前辺部２２ｃの右端部は右辺部２２ａの前端部に連なる。右シート２２ｄの左辺部は、前後に延びた連結部３を構成する。
【００３１】
左シート２３は、前後に延びる左辺部２３ａと、後辺部２３ｂ及び前辺部２３ｃを備える。後辺部２３ｂは左右に延び、左辺部２３ａは前後に延びる。後辺部２３ｂの左端部は、左辺部２３ａの後端部に直角に連結する。前辺部２３ｃは平面視逆Ｓ状をなし、左右に延びる。前辺部２３ｃの左端部は左辺部２３ａの前端部に連なる。左シート２３の右辺部は、前後に延びた連結部３を構成する。
【００３２】
連結部３は、右シート２２ｄの左辺部であり、且つ左シート２３の右辺部である。即ち、連結部３を介して、右シート２２ｄ及び左シート２３は連結されている。前辺部２２ｃ、２３ｃによって、トイレマット１０の前辺部に凹部が形成され、該凹部の内側に便器が位置するように、トイレマット１０をトイレの床に敷くことができる。
【００３３】
図７は、折り畳んだトイレマット１０の第一例を示す平面図である。右シート２２ｄを左シート２３の裏側に折り返すことによって、図７に示すように、トイレマット１０は、平面状態を保ったまま半分の大きさになる。
【００３４】
図８は、展開したトイレマット１０の第二例を示す平面図である。トイレマット１０は、前後に延びる二つの連結部３を備え、二つの連結部３は左右方向において、等間隔で配置されている。二つの連結部３によって、トイレマット１０は三つの領域、即ち、右シート２４、中央シート２５及び左シート２６に分割されている。
【００３５】
中央シート２５は、平面視Ｕ状をなし、左右に延びた前辺部２５ａと、左右に延びた後辺部２５ｂとを備える。中央シート２５の右辺部及び左辺部は、それぞれ、前後に延びた連結部３を構成する。
【００３６】
右シート２４は、前後に延びた右辺部２４ａと、左右に延びた後辺部２４ｂと、平面視Ｓ状をなし、左右に延びた前辺部２４ｃとを備える。右辺部２４ａの後端部と後辺部２４ｂの右端部とは直角に連なる。前辺部２４ｃの右端部と右辺部２４ａの前端部とは連なる。右シート２４の左辺部は前後に延びた連結部３を構成する。即ち、右シート２４の左辺部と中央シート２５の右辺部とは、同じ連結部３を構成する。
【００３７】
左シート２６は、前後に延びた左辺部２６ａと、左右に延びた後辺部２６ｂと、平面視逆Ｓ状をなし、左右に延びた前辺部２６ｃとを備える。左辺部２６ａの後端部と後辺部２６ｂの左端部とは直角に連なる。前辺部２６ｃの左端部と左辺部２６ａの前端部とは連なる。左シート２６の右辺部は前後に延びた連結部３を構成する。即ち、左シート２６の右辺部と中央シート２５の左辺部とは、同じ連結部３を構成する。
【００３８】
トイレマット１０は、前後に延びる二つの連結部３を備え、二つの連結部３を境界にして、右シート２４、中央シート２５及び左シート２６が配置されている。前辺部２４ｃ、２５ａ、２６ｃによって、トイレマット１０の前辺部に凹部が形成され、該凹部の内側に便器が位置するように、トイレマット１０をトイレの床に敷くことができる。
【００３９】
図９は、折り畳んだトイレマット１０の第一例を示す平面図である。右シート２４を中央シート２５の裏側に折り返し、左シート２６を右シート２４の裏側に折り返すことによって、図９に示すように、トイレマット１０は、平面状態を保ったまま１／３の大きさになる。
【００４０】
図１０は、展開したトイレマット１０の第三例を示す平面図である。トイレマット１０は、前後に延びる連結部３と、左右に延びる連結部３とを備え、二つの連結部は、平面視において、十字状に交差している。十字状の連結部３によって、トイレマット１０は、四つの領域、即ち、第一シート２７〜第四シート３０に分割されている。
【００４１】
第一シート２７は、前後に延びる右辺部２７ａと、平面視Ｓ状をなし、左右の延びる前辺部２７ｂとを備える。右辺部２７ａの前端部と前辺部２７ｂの右端部とは連なる。第一シート２７の後辺部は、左右に延びる連結部３を構成し、第一シート２７の右辺部は、前後に延びる連結部３を構成する。
【００４２】
第二シート２８は、第一シート２７の後側に配置される。第二シート２８は、前後に延びる右辺部２８ａと、左右に延びる後辺部２８ｂとを備える。右辺部２８ａの後端部と、後辺部２８ｂの右端部とは直角に連なる。第二シート２８の前辺部は、左右に延びる連結部３を構成し、第二シート２８の左辺部は、前後に延びる連結部３を構成する。
【００４３】
第三シート２９は、第二シート２８の左側に配置される。第三シート２９は、前後に延びる左辺部２９ａと、左右に延びる後辺部２９ｂとを備える。左辺部２９ａの後端部と、後辺部２９ｂの左端部とは直角に連なる。第三シート２９の前辺部は、左右に延びる連結部３を構成し、第三シート２９の右辺部は、前後に延びる連結部３を構成する。
【００４４】
第四シート３０は、第三シート２９の前側且つ第一シート２７の左側に配置される。第四シート３０は、前後に延びる左辺部３０ａと、平面視逆Ｓ状をなし、左右の延びる前辺部３０ｂとを備える。左辺部３０ａの前端部と前辺部３０ｂの左端部とは連なる。第四シート３０の後辺部は、左右に延びる連結部３を構成し、第四シート３０の右辺部は、前後に延びる連結部３を構成する。
【００４５】
前辺部２７ｂ、３０ｂによって、トイレマット１０の前辺部に凹部が形成され、該凹部の内側に便器が位置するように、トイレマット１０をトイレの床に敷くことができる。
【００４６】
図１１は、折り畳んだトイレマット１０の第三例を示す平面図である。左右に延びる連結部３を折り目にして、第二シート２８を第一シート２７の裏側に折り返し、第三シート２９を第四シート３０の裏側に折り返す。その後、前後に延びる連結部３を折り目にして、第一シート２７及び第二シート２８を、第三シート２９の裏側に折り返すことによって、図１１に示すように、トイレマット１０は、平面状態を保ったまま１／４の大きさになる。
【００４７】
実施の形態２においても、実施の形態１と同様な効果を奏する。なお、本考案に火係るマットは、キッチンマット１及びトイレマット１０に限定されず、他の用途に係るマットとして使用してもよい。
【００４８】
今回開示した実施の形態は、全ての点で例示であって、制限的なものではないと考えられるべきである。各実施例にて記載されている技術的特徴は互いに組み合わせることができ、本考案の範囲は、実用新案登録請求の範囲内での全ての変更及び実用新案登録請求の範囲と均等の範囲が含まれることが意図される。
【符号の説明】
【００４９】
１  キッチンマット
１０  トイレマット
２  シート
３  連結部
２０  クッション
２１  表カバー（撥水部）
２２  裏カバー（滑り止め部）
【図１】
0003226355.tif 000003
【図２】
0003226355.tif 000004
【図３】
0003226355.tif 000005
【図４】
0003226355.tif 000006
【図５】
0003226355.tif 000007
【図６】
0003226355.tif 000008
【図７】
0003226355.tif 000009
【図８】
0003226355.tif 000010
【図９】
0003226355.tif 000011
【図１０】
0003226355.tif 000012
【図１１】
0003226355.tif 000013